(57)【要約】【課題】  従来のＧＨＰ用室外熱換器は冷媒用の熱交換器とガスエンジンの廃熱をするラジエタの個々の熱交換器を有し、冷房運転時には効率よく廃熱できるが、暖房運転時にはガスエンジンの廃熱エネルギーを有効活用しにくく、また複雑な構造である。【解決手段】  冷媒用熱交換器とラジエタを一体構造とし、冷媒用熱交換器部分とラジエタ部分との間にミシン目を設けることにより、簡易構造で冷房運転時には効率廃熱でき、暖房運転時にはガスエンジンの廃熱を有効利用できるＧＨＰ用熱交換器を提供できるとともに、簡素な構造で安価な熱交換器が提供できる。【選択図】  図１
2018132226.tif 000002
【特許請求の範囲】
【請求項１】
ガス状の冷媒を圧縮する圧縮機がガスエンジンで駆動され、前記ガスエンジンの排熱を利用したヒートポンプにより冷暖房運転を行うガスヒートポンプ式空気調和機の室外熱交換器ユニット構造であって、前記ガスエンジンの冷却水回路に設けられるラジエタと、冷媒が循環する室外熱交換器とが一体型の熱交換器であって、前記一体型の熱交換器の前記ラジエタ部分と、前記室外熱交換器部分との間にミシン目を設けたことを特徴とする熱交換器。
【発明の詳細な説明】
【技術分野】
【０００１】
本発明は、ガスヒートポンプ式空気調和機の室外側熱交換器で、冷房運転ではガスエンジンの廃熱と冷媒側の熱交換を互いに影響なく熱交換し、暖房運転時にはガスエンジンの廃熱をエネルギーとして有効利用できる熱交換器に関する。
【背景技術】
【０００２】
従来のガスヒートポンプ式空気調和機の室外機側熱交換器には、ガスエンジンの廃熱用ラジエタと冷媒側の熱交換とが互いに影響なく熱交換する構造にしたものがある。
（例えば特許文献１参照。）
【０００３】
以下、図４、図５、図６により従来のガスヒートポンプ式空気調和機（以下ＧＨＰと略す）の室外機に使用される熱交換器について説明する。  図４の（ａ）は従来の熱交換器の構造図であり、（ｂ）は（ａ）のＢ矢視図である。  図５は図４の展開図あり図６は要部品構成図（系統図）である。
ＧＨＰでは図６に示すように冷房サイクルでは圧縮機５の動力をガスエンジン６で駆動させる。圧縮機５で圧縮された冷媒は室外熱交換器１１で熱交換され膨張器８を通り室内熱交換器９で熱交換されアキュームレータ１０を通り圧縮機にも戻る。  この時にガスエンジン６の廃熱はラジエタ１２にて熱交換し廃熱される。
また、暖房サイクルにおいては冷媒の流れは冷房サイクルの逆になる。
【０００４】
室外熱交換器１１とラジエタ１２の構造は図４に示す通り室外熱交換器１１とラジエタ１２との間に隙間１３を設け互いに熱影響を受けない構造となっている。
また、図５で示すように室外熱交換器１１とラジエタ１２は両サイドにある管板１４とで構成されている。
【先行技術文献】
【特許文献】
【０００５】
【特許文献１】特開２００２−１３０７４３号  公報
【発明の概要】
【発明が解決しようとする課題】
【０００６】
以上に述べたように、従来のＧＨＰ用室外機熱交換器では室外熱交換器１１とラジエタ１２との間に隙間１３を設けているので、冷房運転時にはガスエンジン６の廃熱は室外熱交換器１１に影響はないが、暖房運転時にはガスエンジン６の廃熱エネルギーを有効利用できない構造であっつた。  また室外熱交換器１１とラジエタ１２は個別の熱交換器であり、両サイドから管板１４で固定され、部品点数が多く製作工数が大幅にかかりコストの高いものであった。
【０００７】
本発明は、このような従来の構成が有していた問題を解決にするものであり、ＧＨＰ用の室外側熱交換器において、ガスエンジンの廃熱を冷房時には効率よく廃熱でき、暖房運転時にはガスエンジンの廃熱エネルギーを有効利用でき、かつ部品点数を少なくし、安価なＧＨＰ用熱交換器を実現することを目的とする。
【課題を解決するための手段】
【０００８】
本発明は上記目的を達成するために、ガス状の冷媒を圧縮する圧縮機がガスエンジンで駆動され、前記ガスエンジンの廃熱を利用したヒートポンプにより冷暖房運転を行うガスヒートポンプ式空気調和機の室外熱交換器ユニット構造であって、前記ガスエンジンのラジエタと冷媒用熱交換器とを一体構造とし、前記冷媒側熱交換器部分と前記ラジエタ部分との間にミシン目を設けたことを特徴とするものである。
【発明の効果】
【０００９】
上述したように本発明のＧＨＰ用室外熱交換器は、ガスエンジンの廃熱を冷房運転時には効率よく廃熱でき、暖房時には廃熱エネルギーを有効活用できる熱交換器を提供できる。
【００１０】
また、冷媒用熱交換器と廃熱用ラジエタを一体構造にすることで、部品点数を少なくでき安価なＧＨＰ用熱交換器を提供できる。
【図面の簡単な説明】
【００１１】
【図１】本発明の実施形態を示す熱交換器構造図
【図２】同熱交換器の展開図
【図３】同要部品構成図（系統図）
【図４】従来の実施形態を示す熱交換器構造図
【図５】同熱交換器の展開図
【図６】同要部品構成図（系統図）
【発明を実施するための形態】
【００１２】
以下、本発明の実施形態を図１〜図３に基づいて説明する。
【００１３】
図３に示すガスヒートポンプ式空気調和機（以下ＧＨＰと略す）の要部品構成はガスエンジン６とガスエンジン６で駆動される圧縮機５と、冷房運転時に高温高圧のガス冷媒を凝縮液化させて屋外の空気に放熱し、逆に暖房運転時には低温低圧の液冷媒を蒸発気化させて外気から熱を奪う冷媒用熱交換器部分１１と、ガスエンジンの廃熱をさせるラジエタ部分２を一体構造とした室外熱交換器７から構成された室外機と、冷暖それぞれの運転において室外熱交換器６とは逆の動きをする室内熱交換器が接続される。
【００１４】
以下上記構成の動作を説明する。  図３において、ガスエンジン６でされる圧縮機５で圧縮された高温高圧の冷媒ガスは室外熱交換器７内部にある冷媒用熱交換器部分１で放熱させ液化する。  液化した液冷媒は膨張器８で減圧し、室内熱交換器９で吸熱し冷媒を低温のガスにさせアキュームレータ１０を通り圧縮機５に戻る。  また、ガスエンジン６で発熱された熱は室外熱交換器７内部に設置されたラジエタ部分２で排熱する。
【００１５】
このとき室外熱交換機７の構造は、図１に示すように冷媒用熱交換器部分１とラジエタ部分２は一体構造であり、冷媒用熱交換器部分１とラジエタ部分２の境目にはミシン目４を設けて分離しているので、ラジエタ２の廃熱が冷媒用熱交換器１に影響が少なく効率の良い廃熱ができる。
【００１６】
また、冷媒用熱交換器部分１とラジエタ部分２の境目をミシン目４にすることにより、暖房運転時にはラジエタ２の廃熱が室外熱交換器１に伝わりガスエンジン６の廃熱エネルギーを有効利用できる。
【００１７】
また、冷媒用熱交換器１部分とラジエタ部分２を一体式の室外熱交換器７にすることにより、部品点数を少なくし安価なＧＨＰ用熱交換器ができる。
【符号の説明】
【００１８】
１  冷媒用熱交換器部分
２  ラジエタ部分
３  管板
４  ミシン目
５  圧縮機
６  ガスエンジン
７  室外熱交換器
８  膨張器
９  室内熱交換器
１０  アキュームレータ
１１  冷媒用熱交換器
１２  ラジエタ
１３  隙間
１４  管板
【図１】
2018132226.tif 000003
【図２】
2018132226.tif 000004
【図３】
2018132226.tif 000005
【図４】
2018132226.tif 000006
【図５】
2018132226.tif 000007
【図６】
2018132226.tif 000008